(57)【特許請求の範囲】
【請求項１】
被検眼に照明光を照射する照明系と、
前記被検眼に照射された前記照明光の戻り光を撮像素子又は接眼レンズ系に導く受光系と、
ＯＣＴ光源からの光を測定光と参照光とに分割し、前記被検眼に照射された前記測定光の戻り光と前記参照光との干渉光を検出する干渉光学系と、
動作モードを指定するための指定部と、
前記指定部により観察優先モードが指定されたときに前記照明光と前記測定光の合成光量が既定値以下となるように前記測定光の光量を制限する第１光量制御を行い、前記指定部によりＯＣＴ優先モードが指定されたときに前記合成光量が前記既定値以下となるように前記照明光の光量を制限する第２光量制御を行う制御部と、
を含む眼科用顕微鏡システム。
【請求項２】
前記ＯＣＴ光源からの光又は前記測定光の光量を検出する光量検出部を含み、
前記制御部は、前記光量検出部による検出結果に基づいて前記第１光量制御及び前記第２光量制御の少なくとも一方を行う
ことを特徴とする請求項１に記載の眼科用顕微鏡システム。
【請求項３】
前記ＯＣＴ光源からの光又は前記測定光の光量を調整するためのアッテネータを含み、
前記制御部は、前記ＯＣＴ光源及び前記アッテネータの少なくとも一方を制御することにより前記測定光の光量を制限する
ことを特徴とする請求項１又は請求項２に記載の眼科用顕微鏡システム。
【請求項４】
前記照明系は、前記被検眼に対する前記照明光の照射角度を変更可能であり、
前記照明系は、
絞り値が可変な絞りと、
前記照明光の光路に挿脱可能なフィルタと、
を含み、
前記制御部は、前記照明系の光源、前記照射角度、前記絞り値及び前記フィルタの少なくとも１つを制御することにより前記照明光の光量を制限する
ことを特徴とする請求項１〜請求項３のいずれか一項に記載の眼科用顕微鏡システム。
【請求項５】
前記制御部は、前記被検眼に対する前記測定光又は前記照明光の照射時間を低減させることにより前記測定光又は前記照明光の光量を制限する
ことを特徴とする請求項１〜請求項４のいずれか一項に記載の眼科用顕微鏡システム。
【請求項６】
前記干渉光学系は、前記干渉光を検出する検出器を含み、
前記制御部は、前記観察優先モードが指定されたときに前記干渉光の検出感度が上がるように前記検出器を制御する
ことを特徴とする請求項１〜請求項５のいずれか一項に記載の眼科用顕微鏡システム。
【発明の詳細な説明】
【技術分野】
【０００１】
この発明は、眼科用顕微鏡システムに関する。
【背景技術】
【０００２】
眼科分野では眼を拡大観察するために各種の顕微鏡が使用されている。そのような眼科用顕微鏡として、スリットランプ顕微鏡や手術用顕微鏡などがある。眼科用顕微鏡には、眼を撮影するための撮像素子を備えるものや、立体観察のための両眼視差を与える双眼光学系を備えるものがある。
【０００３】
眼科用顕微鏡は、他の眼科装置と組み合わせて使用されることがある。たとえば、特許文献１に開示されているように、ＯＣＴ（Ｏｐｔｉｃａｌ  Ｃｏｈｅｒｅｎｃｅ  Ｔｏｍｏｇｒａｐｈｙ）装置を眼科用顕微鏡に組み合わせたシステムが知られている。ＯＣＴ装置は、眼の断面像や３次元画像の取得や、眼組織のサイズ（網膜厚等）の測定や、眼の機能情報（血流情報等）の取得などに使用される。
【先行技術文献】
【特許文献】
【０００４】
【特許文献１】米国特許第８０４９８７３号明細書
【発明の概要】
【発明が解決しようとする課題】
【０００５】
眼内又は眼に向けて光放射を行う眼光学機器には、光放射の安全性に関する要求事項が規定された規格が適用される。このような規格には、光ハザードからの保護に関する規格などがある。光ハザードからの保護については、たとえば、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）  １５００４−２：２００７（Ｏｐｈｔｈａｌｍｉｃ  ｉｎｓｔｒｕｍｅｎｔｓ  −−  Ｆｕｎｄａｍｅｎｔａｌ  ｒｅｑｕｉｒｅｍｅｎｔｓ  ａｎｄ  ｔｅｓｔ  ｍｅｔｈｏｄｓ  −−  Ｐａｒｔ  ２：  ｌｉｇｈｔ  ｈａｚａｒｄ  ｐｒｏｔｅｃｔｉｏｎ）（ＪＩＳ  Ｔ  １５００４−２：２０１３）に規定されている。
【０００６】
しかしながら、ＯＣＴ装置を眼科用顕微鏡に組み合わせたシステムでは、たとえば手術中にＯＣＴ画像を取得するために眼科用顕微鏡からの照明光とＯＣＴ装置からの測定光とが被検眼に同時に照射される場合がある。前述の規格を満足するように双方の光を被検眼に照射したとき、被検眼に照射される照明光や測定光の光量が不十分となることがある。これらの光量が不十分である場合、照明光の戻り光に基づく観察像やＯＣＴ画像の画質が低下する。これに対して、照明光や測定光の光量を増加させると、前述の規格を満足することができなくなり、被検者に有害な影響を与えるおそれが生じる。このように、被検眼の安全性と画質の向上との間にはトレードオフの関係があり、これらを両立させることは困難であるという問題がある。
【０００７】
この発明は、このような問題を解決するためになされたものであり、その目的は、ＯＣＴ装置を眼科用顕微鏡に組み合わせた場合でも光ハザードからの保護を図りつつ観察像やＯＣＴ画像の画質の向上が可能な新たな技術を提供することにある。
【課題を解決するための手段】
【０００８】
実施形態の眼科用顕微鏡システムは、照明系と、受光系と、干渉光学系と、指定部と、制御部とを含む。照明系は、被検眼に照明光を照射する。受光系は、被検眼に照射された照明光の戻り光を撮像素子又は接眼レンズ系に導く。干渉光学系は、ＯＣＴ光源からの光を測定光と参照光とに分割し、被検眼に照射された測定光の戻り光と参照光との干渉光を検出する。指定部は、動作モードを指定するために用いられる。制御部は、指定部により観察優先モードが指定されたときに照明光と測定光の合成光量が既定値以下となるように測定光の光量を制限する第１光量制御を行う。制御部は、指定部によりＯＣＴ優先モードが指定されたときに合成光量が既定値以下となるように照明光の光量を制限する第２光量制御を行う。
【発明の効果】
【０００９】
実施形態によれば、ＯＣＴ装置を眼科用顕微鏡に組み合わせた場合でも光ハザードからの保護を図りつつ観察像やＯＣＴ画像の画質の向上が可能になる。
【図面の簡単な説明】
【００１０】
【図１】実施形態に係る眼科用顕微鏡システムの構成の一例を示す概略図である。
【図２】実施形態に係る眼科用顕微鏡システムの構成の一例を示す概略図である。
【図３】実施形態に係る眼科用顕微鏡システムの構成の一例を示す概略図である。
【図４】実施形態に係る眼科用顕微鏡システムの構成の一例を示す概略図である。
【図５】実施形態に係る眼科用顕微鏡システムの作用を示す概略図である。
【図６】実施形態に係る眼科用顕微鏡システムの動作例を示すフロー図である。
【図７】変形例に係る眼科用顕微鏡システムの構成の一例を示す概略図である。
【発明を実施するための形態】
【００１１】
この発明に係る眼科用顕微鏡システムの実施形態の例について、図面を参照しながら詳細に説明する。なお、この明細書において引用された文献の記載内容や任意の公知技術を、以下の実施形態に援用することが可能である。
【００１２】
眼科用顕微鏡システムは、眼科分野における診療や手術において被検眼の拡大像を観察（撮影）するために使用される。観察対象部位は、患者眼の任意の部位であってよく、たとえば、前眼部においては角膜や隅角や硝子体や水晶体や毛様体などであってよく、後眼部においては網膜や脈絡膜や硝子体であってよい。また、観察対象部位は、瞼や眼窩など眼の周辺部位であってもよい。
【００１３】
眼科用顕微鏡システムは、被検眼を拡大観察するための顕微鏡としての機能に加え、他の眼科装置としての機能を有する。以下の実施形態では、他の眼科装置としての機能として、ＯＣＴ機能を有する。なお、他の眼科装置としての機能として、ＯＣＴ機能に加えてレーザ治療、眼軸長測定、屈折力測定、高次収差測定などを有していてもよい。また、ＯＣＴ機能に代えて、レーザ治療、眼軸長測定、屈折力測定、高次収差測定などを有していてもよい。他の眼科装置は、被検眼の検査や測定や画像化を光学的手法で行うことが可能な任意の構成を備えるものであってよい。
【００１４】
以下、被検眼に照射された照明光の戻り光を撮像素子に導き、接眼部が備えている表示部に撮像素子からの出力に基づく画像を表示させることにより、観察者に被検眼の像を提示する眼科用顕微鏡システムに実施形態が適用される場合について説明する。しかしながら、被検眼に照射された照明光の戻り光を接眼レンズ系に導くことにより観察者に被検眼の像を提示する眼科用顕微鏡システムに以下の実施形態を適用することも可能である。
【００１５】
［構成］
図１〜図５に、実施形態に係る眼科用顕微鏡システムの構成例を示す。図１〜図３、図５は、眼科用顕微鏡システムの光学系の構成例を示す。図１は後眼部を観察するときの光学系を示し、図２は前眼部を観察するときの光学系を示す。図４は、処理系の構成を示す。
【００１６】
眼科用顕微鏡システム１は、照明系１０（１０Ｌ、１０Ｒ）と、受光系２０（２０Ｌ、２０Ｒ）と、接眼系３０（３０Ｌ、３０Ｒ）と、照射系４０と、ＯＣＴ系６０とを備える。後眼部（網膜等）を観察するときには、被検眼Ｅの直前に前置レンズ９０が配置される。なお、図１に示すような非接触の前置レンズ９０の代わりにコンタクトレンズ等を用いることが可能である。また、隅角を観察するときにはコンタクトミラー（三面鏡等）等を用いることができる。
【００１７】
（照明系１０）
照明系１０は、被検眼Ｅに照明光を照射する。図示は省略するが、照明系１０は、照明光を発する光源や、変更可能な絞り値に応じて照明野を規定する絞りや、レンズ系などを含む。照明系１０は、後述の制御部１００の制御の下で、被検眼Ｅに照射される照明光の光量及び強度の少なくとも一方を変更可能である。なお、光の「強度」は単位面積における単位時間当たりの光量であり、「光量」は「強度」を時間積分することにより得られる物理量である。したがって、以下の実施形態では、特に言及しない限り「光量」と「強度」を同一視するものとする。
【００１８】
たとえば、照明光を発する光源は、制御部１００からの制御信号により指定された制御量（電圧値、電流値など）に応じた光量で照明光を発する。それにより、制御部１００は、光源に対して制御を行うことにより照明光の光量を変更することが可能である。また、制御部１００は、光源に対して設定された制御量（電圧値、電流値など）を取得し、取得された制御量に対応した照明光の光量を検出することが可能である。たとえば、制御部１００には、制御量と制御量に対応した照明光の光量とを対応付けた制御テーブルが予め記憶されている。制御部１００は、この制御テーブルを参照することにより、取得された制御量に対応した照明光の光量を特定する。或いは、照明系１０は、光源により発せられた照明光の光量を検出する照明光量検出部を含んでもよい。この場合、制御部１００は、照明光量検出部による検出結果に基づいて照明光の光量を検出することが可能である。
【００１９】
また、制御部１００からの制御信号により絞り値を指定することにより、被検眼Ｅに照射される照明光の光量を変更することが可能である。また、照明系１０は、光源の向きや受光系２０の光軸に対する後述のビームスプリッタ１１Ｌ（１１Ｒ）の角度を変更することにより、被検眼Ｅに対する照明光の照射角度を変更可能であってよい。制御部１００からの制御信号に基づいて照明光の照射角度を変更することにより、被検眼Ｅに照射される照明光の光量を変更することが可能である。
【００２０】
照明系１０は、照明光の光量を低下させるＮＤ（Ｎｅｕｔｒａｌ  Ｄｅｎｓｉｔｙ）フィルタを含んでもよい。ＮＤフィルタは、照明光の光路に挿脱可能な減光フィルタである。この場合、照明系１０は、照明光の光路にＮＤフィルタを挿入したり、当該光路からＮＤフィルタを退避したりするための図示しない移動機構を含む。移動機構は、制御部１００から制御信号を受け、当該制御信号に基づいて、照明光の光路にＮＤフィルタを挿入したり当該光路からＮＤフィルタを退避したりする。それにより、被検眼Ｅに照射される照明光の光量を変更することが可能である。照明光路の任意の位置でＮＤフィルタを挿脱させてよい。
【００２１】
照明系１０の構成は、従来の眼科装置（たとえばスリットランプ顕微鏡、眼底カメラ、レフラクトメータ等）と同様であってよい。
【００２２】
本実施形態の照明系１０Ｌ及び１０Ｒは、それぞれ受光系２０Ｌ及び２０Ｒと同軸に構成されている。具体的には、観察者の左眼Ｅ０Ｌに提示される像を取得するための左受光系２０Ｌには、たとえばハーフミラーからなるビームスプリッタ１１Ｌが斜設されている。ビームスプリッタ１１Ｌは、左受光系２０Ｌの光路に左照明系１０Ｌの光路を同軸に結合している。左照明系１０Ｌから出力された照明光は、ビームスプリッタ１１Ｌにより反射され、左受光系２０Ｌと同軸で被検眼Ｅを照明する。同様に、観察者の右眼Ｅ０Ｒに提示される像を取得するための右受光系２０Ｒには、右受光系２０Ｒの光路に右照明系１０Ｒの光路を結合するビームスプリッタ１１Ｒが斜設されている。ビームスプリッタ１１Ｒは、右受光系２０Ｒの光路に右照明系１０Ｒの光路を同軸に結合している。右照明系１０Ｒから出力された照明光は、ビームスプリッタ１１Ｒにより反射され、右受光系２０Ｒと同軸で被検眼Ｅを照明する。
【００２３】
受光系２０Ｌ（２０Ｒ）の光軸に対する照明光の位置を変更可能に構成することができる。この構成は、たとえば、従来の眼科手術用顕微鏡と同様に、ビームスプリッタ１１Ｌ（１１Ｒ）に対する照明光の照射位置を変更するための手段を設けることにより実現される。
【００２４】
本例では、対物レンズ２１Ｌ（２１Ｒ）と被検眼Ｅとの間にビームスプリッタ１１Ｌ（１１Ｒ）が配置されているが、照明光の光路が受光系２０Ｌ（２０Ｒ）に結合される位置は、受光系２０Ｌ（２０Ｒ）の任意の位置でよい。
【００２５】
（受光系２０）
本実施形態では、左右一対の受光系２０Ｌ及び２０Ｒが設けられている。左受光系２０Ｌは、観察者の左眼Ｅ０Ｌに提示される像を取得するための構成を有し、右受光系２０Ｒは、右眼Ｅ０Ｒに提示される像を取得するための構成を有する。左受光系２０Ｌと右受光系２０Ｒは同じ構成を備える。左受光系２０Ｌ（右受光系２０Ｒ）は、対物レンズ２１Ｌ（２１Ｒ）と、結像レンズ２２Ｌ（２２Ｒ）と、撮像素子２３Ｌ（２３Ｒ）とを含む。
【００２６】
なお、結像レンズ２２Ｌ（２２Ｒ）が設けられていない構成を適用することも可能である。本実施形態のように結像レンズ２２Ｌ（２２Ｒ）が設けられている場合、対物レンズ２１Ｌ（２１Ｒ）と結像レンズ２２Ｌ（２２Ｒ）との間をアフォーカルな光路（平行光路）とすることができる。それにより、フィルタ等の光学素子を配置することや、光路結合部材を配置して他の光学系からの光路を結合することが容易になる（すなわち、光学的構成の自由度や拡張性が向上される）。
【００２７】
符号ＡＬ１は、左受光系２０Ｌの対物レンズ２１Ｌの光軸（対物光軸）を示し、符号ＡＲ１は、右受光系２０Ｒの対物レンズ２１Ｒの光軸（対物光軸）を示す。撮像素子２３Ｌ（２３Ｒ）は、たとえばＣＣＤイメージセンサやＣＭＯＳイメージセンサ等のエリアセンサである。
【００２８】
以上は、被検眼Ｅの後眼部（眼底）を観察するときの受光系２０の構成である（図１）。一方、前眼部を観察するときには、図２に示すように、対物レンズ２１Ｌ（２１Ｒ）に対して被検眼Ｅ側の位置に、フォーカスレンズ２４Ｌ（２４Ｒ）とウェッジプリズム２５Ｌ（２５Ｒ）とが配置される。本例のフォーカスレンズ２４Ｌ（２４Ｒ）は凹レンズであり、対物レンズ２１Ｌ（２１Ｒ）の焦点距離を延長するように作用する。ウェッジプリズム２５Ｌ（２５Ｒ）は、左受光系２０Ｌ（右受光系２０Ｒ）の光路（対物光軸ＡＬ１（ＡＲ１））を所定角度だけ外側に偏向する（符号ＡＬ２及びＡＲ２で示す）。このように、フォーカスレンズ２４Ｌ及びウェッジプリズム２５Ｌが左受光系２０Ｌに配置され、かつ、フォーカスレンズ２４Ｒ及びウェッジプリズム２５Ｒが右受光系２０Ｒに配置される。それにより、後眼部観察用の焦点位置Ｆ１から前眼部観察用の焦点位置Ｆ２に切り替えられる。
【００２９】
フォーカスレンズとして凸レンズを用いることが可能である。その場合、フォーカスレンズは、後眼部観察時に光路に配置され、前眼部観察時に光路から退避される。フォーカスレンズの挿入／退避によって焦点距離を切り替える代わりに、たとえば光軸方向に移動可能なフォーカスレンズを設けることにより焦点距離を連続的又は段階的に変更できるように構成することが可能である。
【００３０】
図２に示す例では、ウェッジプリズム２５Ｌ（２５Ｒ）の基底方向は外側である（つまりベースアウト配置である）が、ベースイン配置のウェッジプリズムを用いることができる。その場合、ウェッジプリズムは、後眼部観察時に光路に配置され、前眼部観察時に光路から退避される。ウェッジプリズムの挿入／退避によって光路の方向を切り替える代わりに、プリズム量（及びプリズム方向）が可変なプリズムを設けることにより光路の向きを連続的又は段階的に変更できるように構成することが可能である。
【００３１】
（接眼系３０）
本実施形態では、左右一対の接眼系３０Ｌ及び３０Ｒが設けられている。左接眼系３０Ｌは、左受光系２０Ｌにより取得された被検眼Ｅの像を観察者の左眼Ｅ０Ｌに提示するための構成を有し、右接眼系３０Ｒは、右受光系２０Ｒにより取得された被検眼Ｅの像を右眼Ｅ０Ｒに提示するための構成を有する。左接眼系３０Ｌと右接眼系３０Ｒは同じ構成を備える。左接眼系３０Ｌ（右接眼系３０Ｒ）は、表示部３１Ｌ（３１Ｒ）と、接眼レンズ系３２Ｌ（３２Ｒ）とを含む。
【００３２】
表示部３１Ｌ（３１Ｒ）は、たとえばＬＣＤ等のフラットパネルディスプレイである。表示部３１Ｌ（３１Ｒ）の表示面のサイズは、たとえば（対角線長）７インチ以下とされる。左右一対の接眼系３０Ｌ及び３０Ｒに設けられる表示デバイスの画面サイズは、観察者の眼幅（瞳孔間距離等）や、装置のサイズや、装置の設計（光学系や機構の配置等）などに制約を受ける。すなわち、このような制約条件と見掛け視野の広さはトレードオフの関係にある。このような観点から、表示部３１Ｌ及び３１Ｒの画面サイズの最大値は７インチ程度と考えられる。なお、接眼レンズ系３２Ｌ及び３２Ｒの構成や機構の配置を工夫することにより、７インチを超える画面サイズの表示部３１Ｌ及び３１Ｒを適用することができ、或いは、小サイズの表示部３１Ｌ及び３１Ｒを適用することができる。
【００３３】
左接眼系３０Ｌと右接眼系３０Ｒとの間隔を変更することが可能である。それにより、観察者の眼幅に応じて左接眼系３０Ｌと右接眼系３０Ｒとの間隔を調整することができる。また、左接眼系３０Ｌと右接眼系３０Ｒとの相対的向きを変更することが可能である。つまり、左接眼系３０Ｌの光軸と右接眼系３０Ｒの光軸とがなす角度を変更することが可能である。それにより、両眼Ｅ０Ｌ及びＥ０Ｒの輻輳を誘発することができ、観察者による立体視を支援することができる。
【００３４】
（照射系４０）
照射系４０は、前述した「他の眼科装置」としての機能を実現するための光を、受光系２０の対物光軸（ＡＬ１及びＡＲ１、並びにＡＬ２及びＡＲ２）と異なる方向から被検眼Ｅに照射する。本例の照射系４０は、ＯＣＴのための光（測定光）を被検眼Ｅに照射する。
【００３５】
照射系４０は、光スキャナ４１と、結像レンズ４２と、偏向ミラー４３と、ＯＣＴ対物レンズ４４とを含む。光スキャナ４１には、ＯＣＴ系６０からの光が導かれる。結像レンズ４２は、フォーカスレンズとしてＯＣＴ系６０からの光の光路に沿って移動可能であってよい。この場合、図示しない移動機構が、後述の制御部１００から制御信号を受け、当該制御信号により指定された移動方向に、指定された移動量だけ結像レンズ４２を移動させる。
【００３６】
ＯＣＴ系６０からの光（測定光）は、光ファイバ５１により導かれ、そのファイバ端面から出射する。このファイバ端面に臨む位置には、コリメートレンズ５２が配置されている。コリメートレンズ５２は、ファイバ端面から出射した測定光を平行光束にする。コリメートレンズ５２により平行光束とされた測定光は、光スキャナ４１に導かれる。なお、コリメートレンズ５２は、フォーカスレンズ（或いはフォーカスレンズを構成するレンズ群の１つ）として測定光の光路に沿って移動可能であってよい。この場合、図示しない移動機構が、後述の制御部１００からの制御信号を受け、当該制御信号により指定された移動方向に、指定された移動量だけコリメートレンズ５２を移動させる。結像レンズ４２及びコリメートレンズ５２の双方が、移動機構により連動して又は独立に移動されてもよい。
【００３７】
光スキャナ４１は、２次元光スキャナであり、水平方向（ｘ方向）へ光を偏向するｘスキャナ４１Ｈと、垂直方向（ｙ方向）へ光を偏向するｙスキャナ４１Ｖとを含む。ｘスキャナ４１Ｈ及びｙスキャナ４１Ｖは、それぞれ任意の形態の光スキャナであってよく、たとえばガルバノミラーが使用される。光スキャナ４１は、たとえば、コリメートレンズ５２の射出瞳位置又はその近傍位置に配置される。更に、光スキャナ４１は、たとえば、結像レンズ４２の入射瞳位置又はその近傍位置に配置される。
【００３８】
本例のように２つの１次元光スキャナを組み合わせて２次元光スキャナを構成する場合、２つの１次元光スキャナは所定距離（たとえば１０ｍｍ程度）だけ離れて配置される。それにより、たとえば、いずれかの１次元光スキャナを上記射出瞳位置及び／又は上記入射瞳位置に配置することができる。
【００３９】
結像レンズ４２は、光スキャナ４１を通過した平行光束（測定光）を一旦結像させる。結像レンズ４２を通過した光は、偏向ミラー４３によりＯＣＴ対物レンズ４４に向けて反射される。ＯＣＴ対物レンズ４４を通過した光は、被検眼Ｅに照射される。
【００４０】
照射系４０により導かれてきた光が受光系２０の対物光軸（ＡＬ１及びＡＲ１、並びにＡＬ２及びＡＲ２）と異なる方向から被検眼Ｅに照射されるように、偏向ミラー４３の位置は予め決定されている。本例では、互いの対物光軸が非平行に配置された左受光系２０Ｌと右受光系２０Ｒとの間の位置に偏向ミラー４３が配置されている。
【００４１】
（ＯＣＴ系６０）
ＯＣＴ系６０は、ＯＣＴを実行するための干渉光学系を含む。ＯＣＴ系６０の構成の例を図３に示す。図３に示す光学系は、スウェプトソースＯＣＴの例であり、波長走査型（波長掃引型）光源からの光を測定光と参照光とに分割し、被検眼Ｅからの測定光の戻り光と参照光路を経由した参照光とを干渉させて干渉光を生成し、この干渉光を検出する。干渉光学系による干渉光の検出結果（検出信号）は、干渉光のスペクトルを示す信号であり、制御部１００に送られる。
【００４２】
光源ユニット６１は、一般的なスウェプトソースタイプのＯＣＴ装置と同様に、出射光の波長を走査（掃引）可能な波長走査型（波長掃引型）光源を含む。光源ユニット６１は、人眼では視認できない近赤外の波長帯において、出力波長を時間的に変化させる。
【００４３】
ＯＣＴ系６０は、光源ユニット６１から出力された光Ｌ０又は後述の測定光ＬＳの光量を変更可能である。たとえば、光源ユニット６１は、制御部１００からの制御信号により指定された制御量（電圧値、電流値など）に応じた光量で光Ｌ０を出力する。それにより、制御部１００は、光源ユニット６１に対して制御を行うことにより光Ｌ０の光量を変更することが可能である。また、光源ユニット６１と後述の偏波コントローラ６３との間にアッテネータを設け、制御部１００からの制御の下で、光源ユニット６１から出力された光Ｌ０の光量が変更されてもよい。
【００４４】
被検眼Ｅに導かれる測定光ＬＳの光路にアッテネータを設け、制御部１００からの制御の下で測定光ＬＳの光量が変更されてもよい。この場合、参照光ＬＲの光路にもアッテネータを設け、制御部１００からの制御の下で測定光ＬＳの光量の変化分に応じて参照光ＬＲの光量が変更されてもよい。図３に示す構成では、後述のように測定光ＬＳの戻り光が同一経路で戻るため、測定光ＬＳの戻り光も当該アッテネータにより光量が変更される。したがって、参照光ＬＲの光量の変化分（減衰量）をＲＡとし、測定光ＬＳの光量の変化分（減衰量）をＳＡとしたとき、ＲＡ＞ＳＡとなるように参照光ＬＲの光量が変更されてよい。
【００４５】
光源ユニット６１から出力された光Ｌ０は、光ファイバ６２により偏波コントローラ６３に導かれてその偏光状態が調整される。光源ユニット６１と偏波コントローラ６３との間にアッテネータが設けられている場合、光Ｌ０は光ファイバによりアッテネータに導かれてその光量が調整される。光量が調整された光Ｌ０は、光ファイバ６２により偏波コントローラ６３に導かれる。偏波コントローラ６３により偏光状態が調整された光Ｌ０は、光ファイバ６４によりファイバカプラ６５に導かれて測定光ＬＳと参照光ＬＲとに分割される。
【００４６】
参照光ＬＲは、光ファイバ６６Ａによりコリメータ６７に導かれて平行光束に変換され、光路長補正部材６８及び分散補償部材６９を経由し、コーナーキューブ７０に導かれる。光路長補正部材６８は、参照光ＬＲの光路長（光学距離）と測定光ＬＳの光路長とを合わせるための遅延手段として作用する。分散補償部材６９は、参照光ＬＲと測定光ＬＳとの間の分散特性を合わせるための分散補償手段として作用する。
【００４７】
コーナーキューブ７０は、参照光ＬＲの進行方向を逆方向に折り返す。コーナーキューブ７０は、参照光ＬＲの入射光路及び出射光路に沿う方向に移動可能とされ、それにより参照光ＬＲの光路の長さが変更される。なお、測定光ＬＳの光路の長さを変更するための手段と、参照光ＬＲの光路の長さを変更するための手段のうちのいずれか一方が設けられていればよい。
【００４８】
コーナーキューブ７０を経由した参照光ＬＲは、分散補償部材６９及び光路長補正部材６８を経由し、コリメータ７１によって平行光束から集束光束に変換されて光ファイバ７２に入射し、偏波コントローラ７３に導かれて参照光ＬＲの偏光状態が調整される。更に、参照光ＬＲは、光ファイバ７４によりアッテネータ７５に導かれて、制御部１００の制御の下で光量が調整される。光量が調整された参照光ＬＲは、光ファイバ７６によりファイバカプラ７７に導かれる。
【００４９】
一方、ファイバカプラ６５により生成された測定光ＬＳは、光ファイバ５１により導かれてファイバ端面から出射され、コリメートレンズ５２により平行光束とされる。平行光束にされた測定光ＬＳは、光スキャナ４１、結像レンズ４２、偏向ミラー４３及びＯＣＴ対物レンズ４４を経由して被検眼Ｅに照射される。測定光ＬＳは、被検眼Ｅの様々な深さ位置において反射・散乱される。被検眼Ｅからの測定光ＬＳの戻り光は、反射光や後方散乱光を含み、往路と同じ経路を逆向きに進行してファイバカプラ６５に導かれ、光ファイバ６６Ｂを経由してファイバカプラ７７に到達する。
【００５０】
ファイバカプラ７７は、光ファイバ６６Ｂを介して入射された測定光ＬＳと、光ファイバ７６を介して入射された参照光ＬＲとを合成して（干渉させて）干渉光を生成する。ファイバカプラ７７は、所定の分岐比（たとえば１：１）でこの干渉光を分割することにより、一対の干渉光ＬＣを生成する。ファイバカプラ７７から出射した一対の干渉光ＬＣは、それぞれ光ファイバ７８Ａ及び７８Ｂにより検出器７９に導かれる。
【００５１】
検出器７９は、たとえば一対の干渉光ＬＣをそれぞれ検出する一対のフォトディテクタを含み、これらによる検出結果の差分を出力するバランスドフォトダイオード（Ｂａｌａｎｃｅｄ  Ｐｈｏｔｏ  Ｄｉｏｄｅ）である。検出器７９は、その検出結果（検出信号）を制御部１００に送る。
【００５２】
この実施形態では、事前に指定された動作モードに応じて照明光と測定光ＬＳのいずれかの光量を制限することにより、照明光と測定光ＬＳの合成光量が既定値以下となるように被検眼Ｅに照明光と測定光ＬＳを照射する。合成光量は、被検眼Ｅに同時に照射される照明光の光量と測定光ＬＳの光量との和である。既定値は、たとえば、光ハザードからの保護に関する規格において規定された値に基づいて予め決められている。ＯＣＴ系６０は、上記の合成光量をモニタするために、光源ユニット６１からの光Ｌ０又は測定光ＬＳの光量を検出する光量検出部８０を含んでもよい。光量検出部８０により光Ｌ０又は測定光ＬＳの光量を検出することで、制御部１００は、測定光ＬＳの光量の制限量を特定することができる。また、制御部１００は、たとえば、照明系１０の光源に対して設定された制御量などを取得することにより、照明光の光量を特定することができる。それにより、制御部１００は、照明光及び測定光ＬＳの光量をモニタしつつ、合成光量が既定値以下となるように照明光又は測定光ＬＳのいずれかの光量を制限することができる。
【００５３】
本例ではスウェプトソースＯＣＴが適用されているが、他のタイプのＯＣＴ、たとえばスペクトラルドメインＯＣＴを適用することが可能である。
【００５４】
（制御部１００）
制御部１００は、眼科用顕微鏡システム１の各部の制御を実行する（図４参照）。照明系１０の制御の例として次のものがある：光源の点灯、消灯、光量調整、光量検出；絞り１０ａの絞り値の変更；ＮＤフィルタ１０ｂの挿脱制御；スリット照明が可能な場合にはスリット幅の調整。光量調整は、光源に対して制御量を設定することにより行われる照明光の光量調整である。光量検出は、光源に対して設定された制御量を取得することにより行われる照明光の光量検出である。撮像素子２３の制御として、露光調整やゲイン調整や撮影レート調整などがある。
【００５５】
制御部１００は、各種の情報を表示部３１に表示させる。たとえば、制御部１００は、撮像素子２３Ｌにより取得された画像（又はそれを処理して得られた画像）を表示部３１Ｌに表示させ、かつ、撮像素子２３Ｒにより取得された画像（又はそれを処理して得られた画像）を表示部３１Ｒに表示させる。
【００５６】
光スキャナ４１の制御として、たとえば、予め設定されたＯＣＴスキャンパターンに応じた複数の位置に測定光ＬＳが照射されるように、測定光ＬＳを順次に偏向する。
【００５７】
ＯＣＴ系６０に含まれる制御対象としては、光源ユニット６１、アッテネータ６２ａ、偏波コントローラ６３、コーナーキューブ７０、偏波コントローラ７３、アッテネータ７５、検出器７９、光量検出部８０などがある。
【００５８】
アッテネータ６２ａは、前述のように光源ユニット６１と偏波コントローラ６３との間に設けられており、光源ユニット６１からの光Ｌ０の光量を調整する。アッテネータ６２ａの制御として、制御信号により指定された減衰量だけ光Ｌ０の光量を減衰させる。
【００５９】
光量検出部８０は、光源ユニット６１からの光Ｌ０又は測定光ＬＳの光量を検出する。たとえば、光Ｌ０の光路又は測定光ＬＳの光路に光路分離部材が配置される。光路分離部材は、光Ｌ０の光路又は測定光ＬＳの光路からモニタ用光路を分離する。光量検出部８０は、光路分離部材により分離されたモニタ用光路に配置される。このような光量検出部８０は、たとえば図３に示す構成と同様に、ファイバカプラと検出器とを含む。光量検出部８０の検出信号は、制御部１００に送られる。
【００６０】
更に、制御部１００は、各種の機構を制御する。そのような機構としては、ステレオ角変更部２０Ａ、合焦部２４Ａ、光路偏向部２５Ａ、間隔変更部３０Ａ、及び向き変更部３０Ｂが設けられている。
【００６１】
ステレオ角変更部２０Ａは、左受光系２０Ｌと右受光系２０Ｒとを相対的に回転移動する。すなわち、ステレオ角変更部２０Ａは、互いの対物光軸（たとえばＡＬ１とＡＲ１）がなす角度を変更するように左受光系２０Ｌと右受光系２０Ｒとを相対移動させる。この相対移動は、たとえば、左受光系２０Ｌと右受光系２０Ｒとを反対の回転方向に同じ角度だけ移動させるものである。この移動態様においては、互いの対物光軸（たとえばＡＬ１とＡＲ１）がなす角の二等分線の向きは一定である。一方、当該二等分線の向きが変化するように上記相対移動を行うことも可能である。
【００６２】
図２に示す状態からステレオ角が拡大された状態の例を図５に示す。なお、ステレオ角は、左受光系２０Ｌの対物光軸ＡＬ１と右受光系２０Ｒの対物光軸ＡＲ１とがなす角として定義されてもよいし、左受光系２０Ｌの対物光軸ＡＬ２と右受光系２０Ｒの対物光軸ＡＲ２とがなす角として定義されてもよい。ステレオ角変更部２０Ａによりステレオ角が変更されても、左右の接眼系３０Ｌ及び３０Ｒの相対位置（間隔、相対的向き）は変化しない。また、ステレオ角の変化に対応して、被検眼Ｅに対する左右の受光系２０Ｌ及び２０Ｒの距離を調整したり、左右の受光系２０Ｌ及び２０Ｒの焦点距離を変更したりすることにより、焦点位置が移動しないように制御を行うことができる。
【００６３】
合焦部２４Ａは、左右のフォーカスレンズ２４Ｌ及び２４Ｒを光路に対して挿入／退避させる。合焦部２４Ａは、左右のフォーカスレンズ２４Ｌ及び２４Ｒを同時に挿入／退避させるように構成されていてよい。他の例において、合焦部２４Ａは、左右のフォーカスレンズ２４Ｌ及び２４Ｒを（同時に）光軸方向に移動させることによって焦点位置を変更するように構成されてよい。或いは、合焦部２４Ａは、左右のフォーカスレンズ２４Ｌ及び２４Ｒの屈折力を（同時に）変更することによって焦点距離を変更するように構成されてよい。
【００６４】
光路偏向部２５Ａは、左右のウェッジプリズム２５Ｌ及び２５Ｒを光路に対して挿入／退避させる。光路偏向部２５Ａは、左右のウェッジプリズム２５Ｌ及び２５Ｒを同時に挿入／退避させるように構成されていてよい。他の例において、光路偏向部２５Ａは、左右のウェッジプリズム２５Ｌ及び２５Ｒのプリズム量（及びプリズム方向）を（同時に）変更することによって左右の受光系２０Ｌ及び２０Ｒの光路の向きを変更するように構成されてよい。
【００６５】
間隔変更部３０Ａは、左右の接眼系３０Ｌ及び３０Ｒの間隔を変更する。間隔変更部３０Ａは、互いの光軸の相対的向きを変化させずに左右の接眼系３０Ｌ及び３０Ｒを相対的に移動するように構成されてよい。
【００６６】
向き変更部３０Ｂは、左右の接眼系３０Ｌ及び３０Ｒの相対的向きを変更する。向き変更部３０Ｂは、互いの光軸がなす角度を変更するように左接眼系３０Ｌと右接眼系３０Ｒとを相対移動させる。この相対移動は、たとえば、左接眼系３０Ｌと右接眼系３０Ｒとを反対の回転方向に同じ角度だけ移動させるものである。この移動態様においては、互いの光軸がなす角の二等分線の向きは一定である。一方、当該二等分線の向きが変化するように上記相対移動を行うことも可能である。
【００６７】
制御部１００は、前述のように照明光の光量と測定光ＬＳの光量とを特定することが可能である。制御部１００は、特定された照明光の光量と測定光ＬＳの光量とに基づいて、照明光と測定光ＬＳとの合成光量が既定値以下となるように測定光ＬＳの光量を制限する第１光量制御を実行することが可能である。制御部１００は、光源ユニット６１及びアッテネータ６２ａの少なくとも一方を制御することにより測定光ＬＳの光量を制限することができる。また、制御部１００は、特定された照明光の光量と測定光ＬＳの光量とに基づいて、照明光と測定光ＬＳとの合成光量が既定値以下となるように照明光の光量を制限する第２光量制御を実行することが可能である。制御部１００は、照明系１０の光源、被検眼Ｅに対する照明光の照射角度、絞り１０ａの絞り値及びＮＤフィルタ１０ｂの少なくとも１つを制御することにより照明光の光量を制限することができる。
【００６８】
制御部１００は、動作モードに応じて第１光量制御又は第２光量制御を実行する。この実施形態では、動作モードには、観察優先モード（照明光優先モード）とＯＣＴ優先モード（ＯＣＴ光優先モード）とがある。観察優先モードは、既定値以下の合成光量となるように測定光ＬＳの光量を制限することにより、照明光の光量を確保しつつ照明光と測定光ＬＳとを被検眼Ｅに同時に照射するための動作モードである。観察優先モードでは、光ハザードからの保護を図りつつ、ＯＣＴ画像の画質よりも照明光の戻り光に基づく観察像の画質を向上させることが可能になる。ＯＣＴ優先モードは、既定値以下の合成光量となるように照明光の光量を制限することにより、測定光ＬＳの光量を確保しつつ照明光と測定光ＬＳとを被検眼Ｅに同時に照射するための動作モードである。ＯＣＴ優先モードでは、光ハザードからの保護を図りつつ、観察像の画質よりもＯＣＴ画像の画質を向上させることが可能になる。このとき、制御部１００は、光量検出部８０による検出結果に基づいて第１光量制御及び第２光量制御の少なくとも一方を行うことが可能である。
【００６９】
なお、制御部１００は、被検眼Ｅに対する測定光ＬＳ又は照明光の照射時間を低減させることにより測定光ＬＳ又は照明光の光量を制限してもよい。それにより、測定光ＬＳ又は照明光の強度を制限することなく、測定光ＬＳ又は照明光の光量を制限することが可能になり、第１光量制御又は第２光量制御を簡素化することができる。
【００７０】
また、制御部１００は、観察優先モードのときに干渉光ＬＣの検出感度が上がるように検出器７９を制御してもよい。検出器７９の制御には、検出器７９により得られた検出信号に対するゲインを上げたり、検出信号の取得タイミングを長くしたりすることなどがある。それにより、観察優先モードにおいて測定光ＬＳの光量が制限された場合であっても、ＯＣＴ画像の画質の劣化を抑えることができるようになる。
【００７１】
（データ処理部２００）
データ処理部２００は、各種のデータ処理を実行する。このデータ処理には、画像を形成する処理や、画像を加工する処理などが含まれる。また、データ処理部２００は、画像や検査結果や測定結果の解析処理や、被検者に関する情報（電子カルテ情報等）に関する処理を実行可能であってよい。データ処理部２００には、変倍処理部２１０と、ＯＣＴ画像形成部２２０とが含まれる。
【００７２】
変倍処理部２１０は、撮像素子２３により取得された画像を拡大する。この処理は、いわゆるデジタルズーム処理であり、撮像素子２３により取得された画像の一部を切り取る処理と、その部分の拡大画像を作成する処理とを含む。画像の切り取り範囲は、観察者により又は制御部１００により設定される。変倍処理部２１０は、左受光系２０Ｌの撮像素子２３Ｌにより取得された画像（左画像）と、右受光系２０Ｒの撮像素子２３Ｒにより取得された画像（右画像）とに対して、同じ処理を施す。それにより、観察者の左眼Ｅ０Ｌと右眼Ｅ０Ｒとに同じ倍率の画像が提示される。
【００７３】
なお、このようなデジタルズーム機能に加えて、又はそれの代わりに、いわゆる光学ズーム機能を設けることが可能である。光学ズーム機能は、左右の受光系２０Ｌ及び２０Ｒのそれぞれに変倍レンズ（変倍レンズ系）を設けることにより実現される。具体例として、変倍レンズを（選択的に）光路に対して挿入／退避する構成や、変倍レンズを光軸方向に移動させる構成がある。光学ズーム機能に関する制御は制御部１００によって実行される。
【００７４】
ＯＣＴ画像形成部２２０は、ＯＣＴ系６０の検出器７９により得られる干渉光ＬＣの検出結果に基づいて、被検眼Ｅの画像を形成する。制御部１００は、検出器７９から順次に出力される検出信号をＯＣＴ画像形成部２２０に送る。ＯＣＴ画像形成部２２０は、たとえば一連の波長走査毎に（Ａライン毎に）、検出器７９により得られた検出結果に基づくスペクトル分布にフーリエ変換等を施すことにより、各Ａラインにおける反射強度プロファイルを形成する。更に、ＯＣＴ画像形成部２２０は、各Ａラインプロファイルを画像化することにより画像データを形成する。それにより、Ｂスキャン像（断面像）やボリュームデータ（３次元画像データ）が得られる。
【００７５】
データ処理部２００は、ＯＣＴ画像形成部２２０により形成された画像（ＯＣＴ画像）を解析する機能を備えていてよい。この解析機能としては、網膜厚解析や、正常眼との比較解析などがある。このような解析機能は、公知のアプリケーションを用いて実行される。また、データ処理部２００は、受光系２０により取得された画像を解析する機能を備えていてよい。また、データ処理部２００は、受光系２０により取得された画像の解析とＯＣＴ画像の解析とを組み合わせた解析機能を備えていてもよい。
【００７６】
（ユーザインターフェイス３００）
ユーザインターフェイス（ＵＩ）３００は、観察者等と眼科用顕微鏡システム１との間で情報のやりとりを行うための機能を備える。ユーザインターフェイス３００は、表示デバイスと操作デバイス（入力デバイス）とを含む。この実施形態では、ユーザインターフェイス３００は、たとえば、眼科用顕微鏡システム１の動作モードの指定や、ＯＣＴ測定の実行の指示などに用いられる。表示デバイスは、表示部３１を含んでよく、それ以外の表示デバイスを含んでもよい。操作デバイスは、各種のハードウェアキー及び／又はソフトウェアキーを含む。操作デバイスの少なくとも一部と表示デバイスの少なくとも一部とを一体的に構成することが可能である。タッチパネルディスプレイはその一例である。
【００７７】
（通信部４００）
通信部４００は、他の装置に情報を送信する処理と、他の装置から送られた情報を受信する処理とを行う。通信部４００は、既定のネットワーク（ＬＡＮ、インターネット等）に準拠した通信デバイスを含んでいてよい。たとえば、通信部４００は、医療機関内に設けられたＬＡＮを介して、電子カルテデータベースや医用画像データベースから情報を取得する。また、外部モニタが設けられている場合、通信部４００は、眼科用顕微鏡システム１により取得される画像（受光系２０により取得される画像、ＯＣＴ画像等）を、実質的にリアルタイムで外部モニタに送信することができる。
【００７８】
ＯＣＴ系６０は、実施形態に係る「干渉光学系」の一例である。光源ユニット６１は、実施形態に係る「ＯＣＴ光源」の一例である。ユーザインターフェイス３００は、実施形態に係る「指定部」の一例である。ＮＤフィルタ１０ｂは、実施形態に係る「フィルタ」の一例である。
【００７９】
［動作例］
図６に、実施形態に係る眼科用顕微鏡システム１の動作例のフロー図を示す。図６は、眼科用顕微鏡システム１の動作モードを切り換える場合の動作例を表す。
【００８０】
眼科用顕微鏡システム１の動作モードは、制御部１００により自動で指定される場合と、ユーザインターフェイス３００を用いて手動で指定される場合とがある。制御部１００は、眼科用顕微鏡システム１の動作モードを任意のタイミングで当該指定された動作モードに切り換えることが可能である。
【００８１】
（Ｓ１）
眼科用顕微鏡システム１の電源が投入されたとき、制御部１００は、眼科用顕微鏡システム１の動作モードを観察優先モードに設定する。
【００８２】
（Ｓ２）
制御部１００は、ＯＣＴ測定を実行するか否かを判定する。たとえば、ＯＣＴ測定を実行するか否かは、ユーザインターフェイス３００を用いてユーザにより指示される。制御部１００は、ユーザインターフェイス３００に対するユーザの操作内容に基づいて、ＯＣＴ測定を実行するか否かを判定することが可能である。ＯＣＴ測定を実行すると判定されたとき（Ｓ２：Ｙ）、眼科用顕微鏡システム１の動作はＳ３に移行する。ＯＣＴ測定を実行すると判定されなかったとき（Ｓ２：Ｎ）、眼科用顕微鏡システム１の動作はＳ４に移行する。
【００８３】
（Ｓ３）
ＯＣＴ測定を実行すると判定されたとき（Ｓ２：Ｙ）、制御部１００は、眼科用顕微鏡システム１の動作モードを観察優先モードからＯＣＴ優先モードに切り換える。ＯＣＴ優先モードでは、前述のように、特定された照明光の光量と測定光ＬＳの光量とに基づいて、既定値以下の合成光量となるように測定光ＬＳの光量を確保しつつ照明光の光量が制限される。眼科用顕微鏡システム１の動作はＳ８に移行する。
【００８４】
（Ｓ４）
ＯＣＴ測定を実行すると判定されなかったとき（Ｓ２：Ｎ）、制御部１００は、動作モードを切り換えるか否かを判定する。たとえば、動作モードを切り換えるか否かは、ユーザインターフェイス３００を用いてユーザにより指示される。制御部１００は、ユーザインターフェイス３００に対するユーザの操作内容に基づいて、動作モードを切り換えるか否かを判定することが可能である。動作モードを切り換えると判定されたとき（Ｓ４：Ｙ）、眼科用顕微鏡システム１の動作はＳ５に移行する。動作モードを切り換えると判定されなかったとき（Ｓ４：Ｎ）、眼科用顕微鏡システム１の動作はＳ８に移行する。
【００８５】
（Ｓ５）
動作モードを切り換えると判定されたとき（Ｓ４：Ｙ）、制御部１００は、観察優先モードに切り換えるか否かを判定する。たとえば、制御部１００は、ユーザインターフェイス３００に対するユーザの操作内容に基づいて、観察優先モードに切り換えるか否かを判定することが可能である。観察優先モードに切り換えると判定されたとき（Ｓ５：Ｙ）、眼科用顕微鏡システム１の動作はＳ６に移行する。観察優先モードに切り換えると判定されなかったとき（Ｓ５：Ｎ）、眼科用顕微鏡システム１の動作はＳ７に移行する。
【００８６】
（Ｓ６）
観察優先モードに切り換えると判定されたとき（Ｓ５：Ｙ）、制御部１００は、切り換え後の動作モードを観察優先モードに設定する。切り換え前の動作モードが観察優先モードのとき、制御部１００はそのまま動作モードを観察優先モードとして継続させる。切り換え前の動作モードがＯＣＴ優先モードのとき、制御部１００は、動作モードをＯＣＴ優先モードから観察優先モードに切り換える。観察優先モードでは、前述のように、特定された照明光の光量と測定光ＬＳの光量とに基づいて、既定値以下の合成光量となるように照明光の光量を確保しつつ測定光ＬＳの光量が制限される。それにより、手術中にＯＣＴ画像を取得する場合であっても、光ハザードからの保護を図りつつ、高画質の観察像を取得することが可能になる。眼科用顕微鏡システム１の動作はＳ８に移行する。
【００８７】
（Ｓ７）
観察優先モードに切り換えると判定されなかったとき（Ｓ５：Ｎ）、制御部１００は、切り換え後の動作モードをＯＣＴ優先モードに設定する。切り換え前の動作モードがＯＣＴ優先モードのとき、制御部１００はそのまま動作モードをＯＣＴ優先モードとして継続させる。切り換え前の動作モードが観察優先モードのとき、制御部１００は、動作モードを観察優先モードからＯＣＴ優先モードに切り換える。それにより、手術中にＯＣＴ画像を取得する場合であっても、光ハザードからの保護を図りつつ、一時的に高画質のＯＣＴ画像を取得することが可能になる。眼科用顕微鏡システム１の動作はＳ８に移行する。
【００８８】
（Ｓ８）
制御部１００は、眼科用顕微鏡システム１の動作を終了するか否かを判定する。たとえば、動作の終了は、ユーザインターフェイス３００を用いてユーザにより指示される。制御部１００は、ユーザインターフェイス３００に対するユーザの操作内容に基づいて、動作を終了するか否かを判定することが可能である。動作を終了すると判定されなかったとき（Ｓ８：Ｎ）、眼科用顕微鏡システム１の動作はＳ４に移行する。動作を終了すると判定されたとき（Ｓ８：Ｙ）、眼科用顕微鏡システム１の動作は終了する（エンド）。
【００８９】
［効果］
実施形態の眼科用顕微鏡システムの効果について説明する。
【００９０】
実施形態に係る眼科用顕微鏡システム（眼科用顕微鏡システム１）は、照明系（照明系１０）と、受光系（受光系２０）と、干渉光学系（ＯＣＴ系６０）と、指定部（ユーザインターフェイス３００）と、制御部（制御部１００）とを含む。照明系は、被検眼（被検眼Ｅ）に照明光を照射する。受光系は、被検眼に照射された照明光の戻り光を撮像素子（撮像素子２３）又は接眼レンズ系に導く。干渉光学系は、ＯＣＴ光源（光源ユニット６１）からの光（光Ｌ０）を測定光（測定光ＬＳ）と参照光（参照光ＬＲ）とに分割し、被検眼に照射された測定光の戻り光と参照光との干渉光（干渉光ＬＣ）を検出する。指定部は、動作モードを指定するために用いられる。制御部は、指定部により観察優先モードが指定されたときに照明光と測定光の合成光量が既定値以下となるように測定光の光量を制限する第１光量制御を行う。制御部は、指定部によりＯＣＴ優先モードが指定されたときに合成光量が既定値以下となるように照明光の光量を制限する第２光量制御を行う。
【００９１】
このような構成によれば、照明光と測定光との合成光量が既定値になるように動作モードに応じて照明光又は測定光の光量を制限するようにしたので、被検眼の安全性と動作モードに応じた画像の画質の向上とを両立させることができるようになる。それにより、干渉光学系を受光系に組み合わせた場合でも光ハザードからの保護を図りつつ、動作モードに対応した画像の画質の向上が可能になる。
【００９２】
また、実施形態に係る眼科用顕微鏡システムは、光量検出部（光量検出部８０）を含んでもよい。光量検出部は、ＯＣＴ光源からの光又は測定光の光量を検出する。制御部は、光量検出部による検出結果に基づいて第１光量制御及び第２光量制御の少なくとも一方を行う。
【００９３】
このような構成によれば、ＯＣＴ光源からの光又は測定光の光量の検出結果に基づいて、合成光量が既定値以下となるように照明光又は測定光ＬＳのいずれかの光量を制限することが可能になる。
【００９４】
また、実施形態に係る眼科用顕微鏡システムは、アッテネータ（アッテネータ６２ａ）を含んでもよい。アッテネータは、ＯＣＴ光源からの光又は測定光の光量を調整する。制御部は、ＯＣＴ光源及びアッテネータの少なくとも一方を制御することにより測定光の光量を制限する。
【００９５】
このような構成によれば、観察優先モードにおいて測定光の光量を、容易、かつ、高精度に制限することが可能になる。
【００９６】
また、実施形態に係る眼科用顕微鏡システムでは、照明系は、被検眼に対する照明光の照射角度を変更可能であってよい。照明系は、絞り（絞り１０ａ）と、フィルタ（ＮＤフィルタ１０ｂ）とを含む。絞りは、絞り値が可変である。フィルタは、照明光の光路に挿脱可能である。制御部は、照明系の光源、照射角度、絞り値及びフィルタの少なくとも１つを制御することにより照明光の光量を制限する。
【００９７】
このような構成によれば、ＯＣＴ優先モードにおいて照明光の光量を、容易、かつ、高精度に制限することが可能になる。
【００９８】
また、実施形態に係る眼科用顕微鏡システムでは、制御部は、被検眼に対する測定光又は照明光の照射時間を低減させることにより測定光又は照明光の光量を制限してもよい。
【００９９】
このような構成によれば、測定光又は照明光の強度を制限することなく、測定光又は照明光の光量を制限することが可能になり、第１光量制御又は第２光量制御を簡素化することができるようになる。
【０１００】
また、実施形態に係る眼科用顕微鏡システムでは、干渉光学系は、検出器（検出器７９）を含んでもよい。検出器は、干渉光を検出する。制御部は、観察優先モードが指定されたときに干渉光の検出感度が上がるように検出器を制御する。
【０１０１】
このような構成によれば、観察優先モードにおいて測定光の光量が制限された場合であっても、干渉光の検出結果に基づく画像の画質の劣化を抑えることができるようになる。
【０１０２】
［変形例］
上記の実施形態は、本発明を実施するための例示に過ぎない。本発明を実施しようとする者は、本発明の要旨の範囲内において任意の変形、省略、追加、置換等を施すことが可能である。以下、上記の実施形態における図面を適宜に参照する。
【０１０３】
（変形例１）
上記の実施形態において、フォーカスレンズ２４Ｌ及び２４Ｒ並びにウェッジプリズム２５Ｌ及び２５Ｒは、眼底観察時には光路から退避され、前眼部観察時には光路に挿入される。このような動作を自動化することが可能である。実施形態では、被検眼の観察部位を変更するための補助光学部材が使用される。たとえば、眼底観察時には光路に前置レンズ９０が配置され、前眼部観察時には光路から退避される。
【０１０４】
本変形例の眼科用顕微鏡システムは、補助光学部材の状態（つまり観察部位の選択）に応じてフォーカスレンズ２４Ｌ及び２４Ｒの状態を変更する。つまり、制御部１００は、補助光学部材による観察部位の変更に応じて、フォーカスレンズ２４Ｌ及び２４Ｒを連係動作するための第２機構を制御する。同様に、制御部１００は、補助光学部材による観察部位の変更に応じて、ウェッジプリズム２５Ｌ及び２５Ｒを連係動作させるための第３機構を制御する。
【０１０５】
具体例を説明する。制御部１００は、前置レンズ９０が光路から退避されたことを受けて、フォーカスレンズ２４Ｌ及び２４Ｒ並びにウェッジプリズム２５Ｌ及び２５Ｒを光路に挿入するように合焦部２４Ａ及び光路偏向部２５Ａを制御する。逆に、制御部１００は、前置レンズ９０が光路に挿入されたことを受けて、フォーカスレンズ２４Ｌ及び２４Ｒ並びにウェッジプリズム２５Ｌ及び２５Ｒから退避させるように合焦部２４Ａ及び光路偏向部２５Ａを制御する。
【０１０６】
本変形例の眼科用顕微鏡システムは、補助光学部材の状態（たとえば、前置レンズ９０が光路に挿入されているか否か）を示す情報を生成する構成を備えてよい。たとえば、前置レンズ９０を保持するアームの配置状態をマイクロスイッチ等のセンサを用いて検出することができる。或いは、前置レンズ９０の挿入／退避を制御部１００からの信号に基づき行う構成の場合、制御の履歴を参照することによって前置レンズ９０の現在の状態を認識することができる。
【０１０７】
他の例として、撮像素子２３Ｌ及び／又は２３Ｒにより取得される画像と、フォーカスレンズ２４Ｌ及び２４Ｒ並びにウェッジプリズム２５Ｌ及び２５Ｒの現在の状態とに基づいて、前置レンズ９０が光路に配置されているか否か判定することができる。たとえば、フォーカスレンズ２４Ｌ等が光路に配置されている状態において取得された画像をデータ処理部２００にて解析することにより当該画像のボケ状態を示す量を求める。このボケ量が閾値以上である場合、前置レンズ９０が光路に配置されていると判定する。逆に、ボケ量が閾値未満である場合、前置レンズ９０は光路から退避されていると判定する。フォーカスレンズ２４Ｌ等が光路から退避されている状態において取得された画像を解析する場合についても、同様にして前置レンズ９０の状態を判定することが可能である。
【０１０８】
本変形例によれば、焦点位置を変更するためのレンズ（フォーカスレンズ２４Ｌ及び２４Ｒ）の状態や、光路を偏向するための偏向部材（ウェッジプリズム２５Ｌ及び２５Ｒ）の状態を、観察部位の切り替えに応じて自動で変更することができる。したがって、操作性の更なる向上を図ることができる。
【０１０９】
（変形例２）
上記の実施形態の照明系（１０Ｌ及び１０Ｒ）は、一対の受光系（２０Ｌ及び２０Ｒ）と同軸に配置されている。本変形例では、一対の受光系に対して非同軸に照明系が配置された構成、つまり、一対の受光系の対物光軸と異なる方向から照明光を照射可能な構成について説明する。本変形例の光学系の構成例を図７に示す。眼科用顕微鏡システム１Ａの照明系１０Ｓは、付属照明系として、たとえばスリット光を被検眼に照射可能である。このような眼科用顕微鏡の典型的な例としてスリットランプ顕微鏡がある。本変形例では、スリットランプ顕微鏡のように、照明系１０Ｓと、受光系２０Ｌ及び２０Ｒとの相対位置を変更可能である。つまり、照明系１０Ｓと、受光系２０Ｌ及び２０Ｒとが、同一の軸周りに回動可能に構成される。それにより、スリット光で照明されている角膜等の断面を斜め方向から観察することが可能である。
【０１１０】
照明系１０Ｓによるスリット光は、上記の実施形態に係る照明光の一部又は全部に相当する。すなわち、照明系１０Ｓによるスリット光と上記の実施形態に係る照明光とを本変形に係る照明光として上記の実施形態に適用することが可能である。したがって、眼科用顕微鏡システム１Ａの制御部は、照明系１０Ｓによるスリット光と照明光と測定光ＬＳとの合成光量が既定値以下となるように測定光ＬＳの光量を制限する第１光量制御を実行することが可能である。また、この制御部は、照明系１０Ｓによるスリット光と照明光と測定光ＬＳとの合成光量が既定値以下となるようにスリット光又は照明光の光量を制限する第２光量制御を実行することが可能である。制御部は、照明系１０Ｓの光源や照明系１０Ｓに含まれる絞りやフィルタなどを制御することによりスリット光の光量を制限することができる。
【０１１１】
眼科用顕微鏡システムは、上記実施形態のような同軸照明系と、本変形例のような非同軸照明系との一方又は双方を備えていてよい。双方の照明系を備える場合、たとえば観察部位の切り替えに応じて、使用される照明系の切り替えを行うことができる。
【０１１２】
上記の実施形態又は変形例では、照明光と測定光の合成光量が既定値以下となるように照明光又は測定光の光量を制限する場合について説明したが、当該合成光量が既定未満となるように照明光又は測定光の光量を制限してもよい。
【０１１３】
上記の実施形態又は変形例において、第１光量制御における測定光の光量の制限は、測定光の光量をゼロにすること（測定光の照射を停止）を含んでもよい。また、第２光量制御における照明光の光量の制限は、照明光の光量をほぼゼロ（照明光の光量＞０）にすることを含んでもよい。
【０１１４】
上記の実施形態又は変形例では、照明光の光路に挿脱可能なフィルタとしてＮＤフィルタを例に説明したが、当該フィルタはＮＤフィルタ以外のフィルタであってもよい。
【符号の説明】
【０１１５】
１  眼科用顕微鏡システム
１０  照明系
２０  受光系
２１Ｌ  対物レンズ
２１Ｒ  対物レンズ
２３、２３Ｌ、２３Ｒ  撮像素子
３０、３０Ｌ、３０Ｒ  接眼系
４０  照射系
４３  偏向ミラー
４４  ＯＣＴ対物レンズ
６０  ＯＣＴ系
８０  光量検出部
１００  制御部
３００  ユーザインターフェイス
【図１】
0006490519.tif 000002
【図２】
0006490519.tif 000003
【図３】
0006490519.tif 000004
【図４】
0006490519.tif 000005
【図５】
0006490519.tif 000006
【図６】
0006490519.tif 000007
【図７】
0006490519.tif 000008